(57)【要約】【課題】  簡単な構造によって、衣服等の収納が容易で、かつ収納していない空の状態でも邪魔にならず、さらに床に損傷を生じることがないようにする。【解決手段】  第１の軸支柱３と、パイプ状の上部回転支柱４１及び下部回転支柱５１との上下端部に、横アーム４，５を固定する。ハンガーを掛ける掛け部材２の中央部をパイプ状の回転支柱２２で構成し、第１の軸支柱３の外周に回転自在に挿着する。上部回転支柱４１と下部回転支柱５１とを、上中下位置で固定した第２の軸支柱６の外周に回転自在に挿着する。横アーム４，５を回転させれば、掛け部材２を収納区画１０の外に移動させることができ、また空の掛け部材を回転させれば、この収納区画の内壁面に沿わせて収納することができる。【選択図】  図１
2006087838.tif 000002
【特許請求の範囲】
【請求項１】
衣服等の収納区画に設けられ、
ハンガーを掛ける掛け部材と、この掛け部材を回転自在に支持する第１の軸支柱と、この第１の軸支柱を支持する横アームと、この横アームを回転自在に支持する第２の軸支柱または回転軸部材のいずれかとを備える
ことを特徴とする回転式ハンガー掛け。
【請求項２】
請求項１において、上記第２の軸支柱または回転軸部材のいずれかは、上記収納区画の出入口の一側端の近傍に設けてあることを特徴とする回転式ハンガー掛け。
【請求項３】
請求項１または２のいずれかにおいて、上記第２の軸支柱の下端部分は、上記収納区画の床に固定され、その上端部分は、この収納区画を構成する上部または側部のいずれかに固定してあって、
上記横アームは、中空パイプ状の回転支柱に支持され、この回転支柱を上記第２の軸支柱の外周に回転自在に挿着してあることを特徴とする回転式ハンガー掛け。
【発明の詳細な説明】
【技術分野】
【０００１】
本発明は、例えばマンションのウォーク・イン・クローゼットに設置する回転式ハンガー掛けに関する。
【背景技術】
【０００２】
従来から、上部に棚を設け、その下にハンガー掛けパイプを設けた衣服等の収納区画が広く使用されている。このような収納区画に多くの衣服等を収納するためには、ハンガー掛けパイプを長くする必要があるが、そのためには収納区画の横幅を広くしなければならない。しかるにマンション等の集合住宅では、住戸の間取りとの関係で、十分な横幅を確保することが困難な場合も多く、このような場合には、いわゆるウォーク・イン・クローゼットが採用されている。
【０００３】
図８に示すように、マンション等のウォーク・イン・クローゼットでは、通常収納用の棚やハンガー掛けパイプを略Ｌ字状に配置し、これらと出入口の扉との間に空間が設けられている。したがって横幅が取り難い住戸の間取りであっても、多くの衣服等を収納できる点で優れている。しかるに出入口の扉との間に設けた空間には、人の出入等を確保するために、家具等を固定して設置することはできない。したがって、この空間が無駄なデッドスペースとなりがちであった。そこでこのデッドスペースを有効に利用するための手段が提案されている（例えば特許文献１および２参照。）。
【０００４】
特許文献１で開示されている手段は、図９に示すように、衣服等を入れる網籠等の収納用部材７を複数個上下に収納した四角い箱体１を、上下のスライド部材４ａ，４ｂと連結している垂直部材４ｃに、回転自在に取り付けたものである。したがって、スライド部材４ａ，４ｂを、ウォーク・イン・クローゼットの外に引出せば、箱体１を９０度以上に大きく回転できるので、この箱体がウォーク・イン・クローゼットの出入口を塞がないようにすることができる。このためウォーク・イン・クローゼットの奥にある据付型の棚等へのアクセスが容易になる。
【０００５】
特許文献２で開示されている手段は、図１０に示すように、クローゼット内に一端が回転自在のハンガー掛け１を設けたものである。したがってハンガー掛け１をクローゼットの外に回転させれば、このハンガー掛けの奥にある棚等に収納した衣服等を取り出したりする場合に、邪魔にならない。このためこのハンガー掛け１を設けることによって、クローゼット内の空間をデッドスペースにすることなく有効に利用できる。
【特許文献１】特開平６−６２９２７号公報（第１−３頁、第２図）
【特許文献２】特開平１０−５２３２６号公報（第１−２頁、第１図）
【発明の開示】
【発明が解決しようとする課題】
【０００６】
しかし上述した従来の手段には、次の改良すべき問題があった。すなわちいずれの手段も、衣服等を収納していない空の状態であっても、箱体１やハンガー掛け１は、クローゼット内の空間を占領するため、クローゼットの奥に収納してある衣服等を取り出したり、収納したりするためには、これらを一々クローゼットの外に出さなければならない。すなわち衣服等を収納していない空の状態では、箱体１やハンガー掛け１は、クローゼット内の空間を無駄に占領するだけの邪魔な物になってしまうという、基本的な問題がある。したがって衣服等を収納していない空の状態でも、邪魔にならない手段が望まれる。
【０００７】
また特許文献１の手段では、衣服等の収納に、網籠等の収納用部材７を用いているため、折り目を嫌うコート等を収納するのには適さない。また衣服等を収納する際には、網籠等の収納用部材７を引出し、衣服等を畳んだ上で、この収納用部材に積み重ねる作業等が必要になるため、手間がかかる。さらに箱体１を大きくして多量の衣服等を収納できるようにすると、全体が重くなり、これを支えるスライド部材４ａ，４ｂやこれを移動可能に支持するスライド支持体のサイズや強度を大きくする必要があるため、製造や据付コスト等が高くなる。
【０００８】
一方特許文献２の手段では、上述した特許文献１の問題点を有していないが、ハンガー掛け１の先端下部に、キャスタ７を設けている。すなわちハンガーを掛ける横棒４を支持する支柱３は、上下を軸受け２、２によって回転自在に軸支されているが、キャスタ７を設けることによって、ハンガー掛け１を容易に回転できるようにしてある。
【０００９】
しかしキャスタ７が床面を転動すると、床面に傷がつく。特に最近は床を木目調のフローリング等にする場合が多く、このような比較的軟質なフローリングの上を、キャスタ７が転動すると、表面に致命的な損傷を与える恐れがある。とくに重いハンガー掛けを、何年もの間にわたって繰り返し移動させると、キャスタ７による損傷が避けられない。したがって、キャスタを設けなくても、長期にわたって、重いハンガー掛けを回転自在に支える手段が望まれる。
【００１０】
そこで本発明の目的は、第１に、衣服等を収納していない空の状態でも、邪魔にならない回転式ハンガー掛けを提供することにある。第２に、床に損傷を生じることがない回転式ハンガー掛けを提供することにある。
【課題を解決するための手段】
【００１１】
上記課題を解決すべく、本発明による回転式ハンガー掛けの特徴は、衣服等の収納区画に設けられており、ハンガーを掛ける掛け部材と、この掛け部材を回転自在に支持する第１の軸支柱と、この第１の軸支柱を支持する横アームと、この横アームを回転自在に支持する第２の軸支柱または回転軸部材のいずれかとを備えることにある。上記第２の軸支柱または回転軸部材のいずれかは、上記収納区画の出入口の一側端の近傍に設けてあることが望ましい。
【００１２】
さらに上記第２の軸支柱の下端部分は、上記収納区画の床に固定され、その上端部分は、この収納区画を構成する上部または側部のいずれかに固定してあって、上記横アームは、中空パイプ状の回転支柱に支持され、この回転支柱を上記第２の軸支柱の外周に回転自在に挿着してあることが望ましい。
【００１３】
ここで「衣服等の収納区画」とは、据付型のハンガー掛けや棚等の他に、本発明による回転式ハンガー掛けを収納できる空間を有するすべての区画を意味し、その形状や大きさを問わない。またいわゆる人間が出入りできるウォーク・イン・クローゼットに限らず、人間が出入りできない、小型のクローゼット等も含む。「ハンガーを掛ける掛け部材」とは、洋服等を吊るしたハンガーを引っ掛けて保持できる部材を意味し、その形状や材質や個数を問わない。例えば金属製の横棒、ハンガーを掛ける穴や溝等を設けた板状の部材、バー材を半月状に構成したもの、あるいは四角形等の多角形に構成したものも含む。
【００１４】
また「横アーム」とは、第２の軸支柱または回転軸部材のいずれかを中心として、横方向に延伸する部材を意味し、その形状や材質や個数を問わない。例えば金属製の棒、板材、あるいは複数のバー材を組み合わせたものも含む。「回転軸部材」とは、収納区画を構成する柱や壁等に、横アームを回転自在に連結する部材を意味し、例えばヒンジ、あるいは横アームの先端に設けた垂直軸を回転自在に支持するベアリングが該当する。また「収納区画の出入口」とは、衣服等を収納等する際に、人間が出入したりアクセスしたりするための開口部分を意味し、扉の有無を問わない。「収納区画を構成する上部」とは、いわゆる天井部分のほか、収納区画の上部に設けた梁等の部材も含む。また「側部」とは、いわゆる収納区画を構成する壁を意味し、壁の一部を構成する柱も含む。
【発明の効果】
【００１５】
掛け部材が、第１の軸支柱に回転自在に支持されているため、ハンガーを掛ける位置を、容易に手前に回転させることができるので、例えばウォーク・イン・クローゼット内の狭い空間において、容易にハンガーを掛けたり、取り外したりすることができる。また掛け部材を支持する横アームが、第２の軸支柱または回転軸部材のいずれかに回転自在に支持されているため、この横アームを回転させて、この掛け部材を収納区画の外に移動することが可能となる。このため、ハンガーの掛け下ろしが極めて容易になると共に、収納区画の出入や、奥に収納した固定ハンガー掛けや棚等へのアクセス等が容易になる。
【００１６】
さらに横アームが、第２の軸支柱または回転軸部材のいずれかに回転自在に支持されていることによって、この横アームの回転先端を、収納区画の壁に接するように回転することができる。この場合において、掛け部材は、第１の軸支柱を介して、横アームに回転自在に支持されているため、この掛け部材を壁にほぼ密着する位置に回転させることができる。したがって掛け部材が空で無用な場合には、この空の掛け部材を収納区画の壁にほぼ接するように配置できるため、この空の掛け部材を収納区画に収納しても邪魔にならず、容易に収納区画の出入や、奥に収納した固定ハンガー掛けや棚等へのアクセス等が可能となる。なおこの効果については、次の実施の形態で図解する。
【００１７】
次に上記第２の軸支柱または回転軸部材のいずれかを、上記収納区画の出入口の一側端の近傍に設けることによって、この第２の軸支柱または回転軸部材のいずれかに、回転自在に支持されている横アームの回転先端等を、出入口から離れた外側に移動させることが可能となる。したがってハンガー掛を、出入口からより遠ざけることができるため、ハンガーの掛け下ろしが一層容易になると共に、収納区画の出入や、奥に収納した固定ハンガー掛けや棚等へのアクセス等が、一層容易になる。
【００１８】
また上記第２の軸支柱の下端部分を、上記収納区画の床に固定し、その上端部分を、この収納区画を構成する上部または側部のいずれかに固定することによって、この第２の軸支柱を、垂直方向と水平方向に、堅固に固定することができる。そして上記横アームを、中空パイプ状の回転支柱に固定し、この回転支柱を上記第２の軸支柱の外周に回転自在に挿着することによって、ハンガー掛けに多量の衣服等を掛けた場合にも、キャスタによる補助がなくても、回転式ハンガー掛けの剛性や耐久性等を、簡単な構成で増強することが可能となる。
【００１９】
すなわち、まず上記第２の軸支柱の下端部分を、上記収納区画の床に固定し、その上端部分を、この収納区画を構成する上部または側部のいずれかに固定することによって、横アームを回転自在に支持する第２の軸支柱の取り付け強度および剛性を、簡単な構成で増強することができる。すなわち第２の軸支柱には、本発明による回転式ハンガー掛け自体の重量と、ハンガー掛けに掛けた衣服等の全重量が掛かる。この全重量を、例えば収納区画の壁から突出させた横ヒンジ等で受け持たせるようにすると、この横ヒンジ等に極めて大きな曲げモーメントが発生するために、この横ヒンジ等を大きく頑丈にする必要がある。
【００２０】
しかるに第２の軸支柱の下端部分を、収納区画の床に固定すれば、全重量をこの床が垂直に支えるため、この第２の軸支柱の下端部分には曲げモーメントが発生しない。したがって小くて簡単な構造で全重量を支持することができる。一方第２の軸支柱の上端部分においては、垂直方向の重量を支える必要がなくなるために、例えば天井や壁に固定しても、小くて簡単な構造で取り付け剛性や強度を確保することができる。以上により、重い重量が掛かった場合でも、第２の軸支柱の取り付け強度および剛性を、簡単な構成で増強することができる。
【００２１】
次に上記横アームを、中空パイプ状の回転支柱に支持し、そしてこの回転支柱を上記第２の軸支柱の外周に回転自在に挿着することによって、この第２の軸支柱に回転自在に支持される横アームの支持剛性と耐久性とを、簡単な構成で増強することができる。すなわち横アームは、中空パイプ状の回転支柱に固定的に支持することができるので、横アームと中空パイプ状の回転支柱との、取り付け剛性を大きくすることができる。さらに中空パイプ状の回転支柱の長さを十分長く設定することができるため、横アームに掛かる曲げモーメントを、長い回転支柱の両端で支えることができる。したがって回転支柱の両端に掛かる水平方向の力を小さくすることができるため、この両端部分に回転接触する第２の軸支柱の外周との摩擦力を小さくすることが可能となり、耐久性と円滑な回転運動が確保できる。
【００２２】
なお、上述した曲げモーメントに十分耐えうるような壁（例えば、コンクリート壁や、鉄骨を内蔵する壁）で収納区画が構成されている場合には、第２の軸支柱を床で支持する替わりに、ヒンジ等の回転軸部材で横アームを壁に支持する、あるいはヒンジ等の回転軸部材で第２の軸支柱を壁に支持することもできる。すなわちこのように収納区画の壁や柱の強度や剛性が高い場合には、ヒンジ等の回転軸部材を用いることによって、キャスタによる補助がなくても、回転式ハンガー掛けの剛性や耐久性等を、簡単な構成で確保することが可能となる。
【００２３】
以上によって、ハンガー掛けに多量の衣服等を掛けた場合にも、キャスタによる補助がなくても、回転式ハンガー掛けの剛性や耐久性等を、簡単な構成で増強することが可能となる。
【発明を実施するための最良の形態】
【００２４】
図１〜図３を参照しつつ、本発明による回転式ハンガー掛けの構成を説明する。回転式ハンガー掛け１は、衣服等の収納区画１０の内側であって、出入口１１の一側端を構成する柱１２の近傍に設けてあり、ハンガーを掛ける掛け部材２と、この掛け部材を回転自在に支持する、第１の軸支柱３とを備えている。掛け部材２は、アルミ製パイプからなる四角枠状に形成したフレーム部２１と、このフレーム部の上下２辺の中央部において溶接結合した、アルミ製パイプからなる回転支柱２２とから構成される。
【００２５】
図３に示すように、第１の軸支柱３は、アルミ製の中実棒からなる上部分３１と、この上部分の下端部に連結した、やや外径が大きいアルミ製パイプからなる下部分３２とからなり、この上部分に掛け部材２のアルミ製パイプからなる回転支柱２２が、回転自在に挿着される。第１の軸支柱３の上下両端部は、アルミ製パイプからなる上部横アーム４と、下部横アーム５との先端部に、それぞれ溶接結合してある。
【００２６】
上部横アーム４と下部横アーム５との他端部は、それぞれアルミ製パイプからなる上部回転支柱４１と下部回転支柱５１とに、それぞれ溶接結合してある。そして上部回転支柱４１と下部回転支柱５１とは、アルミ製の中実棒からなる第２の軸支柱６の外周に、それぞれ回転自在に挿着されている。第２の軸支柱６は、その下端部において、床に設けた受け部材７に固定され、また上端部とほぼ中央部において、収納区画１０の出入口１１の一側端を構成する柱１２に突設した係止部材８，９に固定してある。なお上部回転支柱４１と下部回転支柱５１との下端面は、それぞれ係止部材９と、受け部材７との上面に当接して摺動する。
【００２７】
したがって、四角枠状に形成したフレーム部２１と、このフレーム部の中央部で溶接結合した回転支柱２２とからなる掛け部材２は、他の補強部材を設けなくても、それ自体で極めて剛性が高く、重い衣服等を掛けても変形しない構造になっている。また上部横アーム４と下部横アーム５との先端部分は、第１の軸支柱３の上下端部に、それぞれ溶接で固定され、他端部も、長い上部回転支柱４１と下部回転支柱５１とに、それぞれ溶接で固定され、さらにこれらの長い上部回転支柱と下部回転支柱とは、それぞれ第２の軸支柱６の外周に挿着されている。このため、上部横アーム４と下部横アーム５とは、全体として、四隅を固定した四角形のフレーム構造と同等になり、他の補強部材を設けなくても、それ自体で極めて上下方向の剛性が高くなっている。
【００２８】
したがって上述したように構成することによって、本発明による回転式ハンガー掛け１は、掛け部材２に、多量の衣服等を掛けた場合であっても、他に補強部材やキャスタ等を設けることなく、最小限の構成部材によって、それ自体で変形し難い構造になっている。
【００２９】
また第２の軸支柱６の下端部は、床に設けた受け部材７に固定されているので、この第２の軸支柱に掛かる全ての重量を、この受け部材が容易かつ確実に支えることができる。一方第２の軸支柱６に掛かる曲げモーメントは、長い上部回転支柱４１と下部回転支柱５１との両端部分で受け持つため、この両端部分に掛かる水平方向の力は小さくなり、この部分で回転接触する第２の軸支柱６との摩擦力も小さくなる。したがって上部横アーム４と下部横アーム５との回転が容易になると共に、回転接触する部分が摩耗し難くなる。
【００３０】
図４に、本発明による回転式ハンガー掛けの他の実施の形態を示す。本発明による回転式ハンガー掛け１０１は、衣服等の収納区画１１０の内側であって、出入口の一側端を構成する柱１１２の近傍に設けてあり、ハンガーを掛ける掛け部材１０２と、この掛け部材を回転自在に支持する、第１の軸支柱１０３とを備えている。掛け部材１０２は、半月状の上部材と、コの字形状の下部材とを一体形成したアルミ製のフレーム部１２１と、このフレーム部の上下中央部において溶接結合した、アルミ製パイプからなる回転支柱１２２とから構成される。
【００３１】
アルミ製パイプからなる第１の回転支柱１２２は、アルミ製の中実棒からなる第１の軸支柱１０３に回転自在に挿着され、この第１の軸支柱の上下両端部は、アルミ製の板材からなる上部横アーム１０４と、下部横アーム１０５との先端部に、それぞれ溶接結合してある。
【００３２】
上部横アーム１０４と下部横アーム１０５との他端部は、アルミ製パイプからなる回転支柱１４５に、それぞれ溶接結合してある。そして回転支柱１４５は、アルミ製の中実棒からなる第２の軸支柱１０６の外周に、回転自在に挿着されている。第２の軸支柱１０６は、その下端部において、床に設けた受け部材１０７に固定され、また上端部において、収納区画１１０の出入口の一側端を構成する柱１１２に突設した係止部材１０８に固定してある。なお回転支柱１４５の下端面は、受け部材１０７の上面に当接して摺動する。
【００３３】
したがって、枠状に一体形成したフレーム部１２１と、このフレーム部の中央部で溶接結合した回転支柱１２２とからなる掛け部材１０２は、他の補強部材を設けなくても、それ自体で極めて剛性が高く、重い衣服等を掛けても変形しない構造になっている。また上部横アーム１０４と下部横アーム１０５との先端部分及び他端部分は、第１の軸支柱１０３の上下端部と、回転支柱１４５の上下端部とに、それぞれ溶接で固定されている。このため、上部横アーム１０４と下部横アーム１０５とは、全体として、四隅を固定した四角形のフレーム構造になり、他の補強部材を設けなくても、それ自体で極めて上下方向の剛性が高くなっている。
【００３４】
したがって上述したように構成することによって、本発明による回転式ハンガー掛け１０１は、掛け部材１０２に、図１等に示した回転式ハンガー掛け１よりも多量の衣服等を掛けた場合でも、他に補強部材やキャスタ等を設けることなく、最小限の構成部材によって、それ自体で変形し難い構造になっている。
【００３５】
図５〜図７を参照しつつ、本発明による回転式ハンガー掛け１の使用の一例について説明する。図５は、衣服等を吊るしたハンガーを掛けた回転式ハンガー掛け１を、収納区画１０内の空間１３に配置した場合を示している。すなわち出入口１１の左側端部の直内側に設けた第２の軸支柱６を中心として、上部横アーム４等の先端を空間１３内に回転する。そして上部横アーム４等の先端に固定した第１の軸支柱３を中心として、衣服等を吊るしたハンガーを掛けた掛け部材２を、出入口１１にほぼ平行に回転する。したがって、出入口１１から収納区画１０内の空間１３に入って、容易にハンガーを掛け部材２に掛けたり降ろしたりすることができる。
【００３６】
図６は、回転式ハンガー掛け１を、収納区画１０の外に回転移動した場合を示している。すなわち第２の軸支柱６を出入口１１の左側端部に設けてあるので、この出入口の横幅より上部横アーム４等の長さを短くしておけば、掛け部材２を縦方向に回転させることによって、この出入口を通過して、外部に移動させることができる。したがって、出入口１１の外で容易にハンガーを掛け部材２に掛けたり降ろしたりすることができ、また収納区画１０の奥に据え付けた固定式のＬ字形状のハンガー掛け１５，１５に、容易にアクセスすることができる。
【００３７】
図７は、空の回転式ハンガー掛け１を、収納区画１０の壁の内側に、ほぼ平行に接するように回転移動した場合を示している。すなわち第２の軸支柱６を中心として、上部横アーム４等の先端部分を、収納区画１０の壁の内側にほぼ接するように回転移動し、さらに第１の軸支柱３を中心として、掛け部材２をこの収納区画の壁の内側にほぼ平行になるように回転移動する。したがって、衣服等を掛けない空の状態では、回転式ハンガー掛け１を、上述したように回転移動させるだけで、壁際に寄せることができる。したがって収納区画１０内に収納しても、固定式のＬ字形状のハンガー掛け１５，１５にアクセスする場合に、ほとんど邪魔になることはない。
【００３８】
なお、横アーム４等を長くして、第１の軸支柱３と掛け部材２とを、複数設けることも容易にできる。また横アーム４等を、３本以上に構成することも容易にできる。回転式ハンガー掛け１等の材料は、アルミ製に限らず、スチールやステンレス材等の他の金属にすることも容易にできる。回転自在に支持する部分に、ラジアル軸受けやスラスト軸受けを使用して、回転をより滑らかにすることも容易にできる。また収納区画１０等に、本発明による複数の回転式ハンガー掛け１等を設置することも容易にできる。
【００３９】
収納区画１０等を構成する柱１２等や壁に、十分強度や剛性が高いコンクリートや鉄骨を内蔵する壁が使用されている場合には、第２の軸支柱６，１０６を床で支持する替わりに、ヒンジ等の回転軸部材で横アーム４等を柱や壁に支持することもできる。すなわちこのように収納区画の壁や柱の強度や剛性が高い場合には、ヒンジ等の回転軸部材を用いることによって、キャスタによる補助がなくても、回転式ハンガー掛の剛性や耐久性等を、簡単な構成で確保することが可能となる。
【産業上の利用可能性】
【００４０】
本発明による回転式ハンガー掛けは、衣服等を収納していない空の状態でも邪魔にならないだけでなく、床に損傷を生じることがなく、さらに補強部材等を必要としない簡単な構造であるため、利用価値が高く量産性に優れる。したがって一戸建て住宅や集合住宅等の建設産業や、家具の製造産業等に広く利用することができる。
【図面の簡単な説明】
【００４１】
【図１】回転式ハンガー掛けの正面図である。
【図２】回転式ハンガー掛けの側面図である。
【図３】掛け部材と、第１の軸支柱との組み付けを説明する斜視図である。
【図４】他の回転式ハンガー掛けの正面図である。
【図５】回転式ハンガー掛を収納区画内に配置した場合の上面図である。
【図６】回転式ハンガー掛を収納区画外に移動した場合の上面図である。
【図７】空の回転式ハンガー掛を収納区画内に配置した場合の上面図である。
【図８】集合住宅のウォーク・イン・クローゼットの概略構成図である。
【図９】従来例によるウォーク・イン・クローゼットの斜視図である。
【図１０】従来例による回転式ハンガー掛けの概略構成図である。
【符号の説明】
【００４２】
１，１０１            回転式ハンガー掛け
２，１０２            掛け部材
２１，１２１          フレーム部
２２，１２２          回転支柱
３，１０３            第１の軸支柱
４，１０４            横アーム
４１                  上部回転支柱
５，１０５            横アーム
５１                  下部回転支柱
６，１０６            第２の軸支柱
７，１０７            受け部材
８，１０８            係止部材
９                    係止部材
１０，１１０            収納区画
１１                    出入口
１２，１１２            柱
１４５                  回転支柱
【図１】
2006087838.tif 000003
【図２】
2006087838.tif 000004
【図３】
2006087838.tif 000005
【図４】
2006087838.tif 000006
【図５】
2006087838.tif 000007
【図６】
2006087838.tif 000008
【図７】
2006087838.tif 000009
【図８】
2006087838.tif 000010
【図９】
2006087838.tif 000011
【図１０】
2006087838.tif 000012